(57)【要約】【課題】天板の幅寸法が小さい場合であっても使用者に窮屈な印象を与え難い机を提供すること。【解決手段】天板１と、天板１を支持する左右一対の支持部材２，２とを備える机であって、天板１は、使用者の前側に位置する天板本体１ａと、天板本体１ａから後方に向かって張り出す左右一対の張出部１ｂ，１ｂとを有し、各支持部材２は、ベース２ａと、ベース２ａに立設された脚部２ｂとを有し、脚部２ｂは、張出部１ｂの下側のみに配置されている。【選択図】図１
2017225703.tif 000002
【特許請求の範囲】
【請求項１】
天板と、
前記天板を支持する左右一対の支持部材とを備える机であって、
前記天板は、使用者の前側に位置する天板本体と、前記天板本体から後方に向かって張り出す左右一対の張出部とを有し、
前記各支持部材は、ベースと、前記ベースに立設された脚部とを有し、
前記脚部は、前記張出部の下側のみに配置されている、ことを特徴とする机。
【請求項２】
前記脚部は、前記ベースの後端から前記張出部の先端部に向かって立ち上がる支柱と、前記支柱の上端から前記張出部の基端部に向かうアームとを有する、ことを特徴とする請求項１に記載の机。
【請求項３】
前記各支持部材は、前記天板本体の下面に沿う横桟部を有する、ことを特徴とする請求項２に記載の机。
【発明の詳細な説明】
【技術分野】
【０００１】
本発明は、机に関する。
【背景技術】
【０００２】
机の構造は、用途に限らず、複数の支持脚（支持部材）と天板とを備えるものが一般的である。天板の形状も様々であるが、例えば、特許文献１，２には、凹部を備えた天板が開示されている。この凹部は、使用者の胴体を入り込ませることが可能な形状・大きさを備えている。
【０００３】
特許文献１の机は、パソコン用の机である。机を使用する者は、天板の凹部に胴体を入り込ませた状態で回転椅子等に着座する。特許文献１の机によれば、天板上に両肘を載置することができるので、パソコン操作時の負担を軽減することができる。
特許文献２の机は、介護用の机である。使用者（要介護者）を机に向かわせる場合には、天板の凹部に胴体を入り込ませた状態で着座させる。特許文献２の机によれば、使用者を囲むように天板が位置することになるので、使用者の胴部を安定させることができる。
【先行技術文献】
【特許文献】
【０００４】
【特許文献１】特開２００９−１０６３９９号公報
【特許文献２】特開２００８−１２２６９号公報
【発明の概要】
【発明が解決しようとする課題】
【０００５】
特許文献１等の机に使用者が向かう場合には、天板の凹部に胴体を入り込ませるので、凹部の無い机に向かう場合に比べて、使用者の下腿や足が前側（奥側）の支持脚に近づくことになる。天板の幅寸法（左右の脚部同士の離隔間隔）が小さい場合には、使用者の下腿が支持脚の直ぐ脇に位置することになるので、使用者に窮屈な印象を与える虞がある。
【０００６】
このような観点から、本発明は、天板の幅寸法が小さい場合であっても使用者に窮屈な印象を与え難い机を提供することを課題とする。
【課題を解決するための手段】
【０００７】
本発明は、左右一対の支持部材と、前記両支持部材に支持された天板とを備える机である。前記天板は、使用者の前側に位置する天板本体と、前記天板本体から後方に向かって張り出す左右一対の張出部とを備えている。前記各支持部材は、ベースと、前記ベースに立設された脚部とを備えており、前記脚部は、前記張出部の下側のみに配置されている。
【０００８】
本発明の机に向かう使用者は、左右の張出部の間に胴体を位置させることができる。つまり、本発明によれば、使用者を囲むように天板が位置するので、姿勢が安定しない虞のある者（バーチャルリアリティの体験者、要介護者、乳幼児など）をサポートすることができる。なお、バーチャルリアリティの体験者（仮想空間への没入体験を行う者）は、仮想空間の出来事に応じて身体を動かす場合があり、あるいは、方向感覚を失って姿勢を崩す場合がある。
また、本発明の机をバーチャルリアリティの体験時に使用すれば、仮想空間上の出来事に反応して使用者が姿勢を崩した際に、使用者の胴部や腕などが左右の張出部に触れるようになる。姿勢を崩した使用者は、胴部や腕などが天板に触れたことを拠り所にして、自らの姿勢の崩れを認識することができる。
ところで、本発明に係る机に向かって着座した使用者が張出部同士の間に自身の胴体を位置させると、通常は、使用者の下腿や足が天板本体の下方に位置することになる。しかしながら、本発明では、張出部の下側のみに支持部材の脚部が存在し、天板本体の下側には脚部が存在していないので、使用者が下腿等を左右に動かしても脚部に接触する頻度は少ない。なお、天板本体の下側に支持部材の脚部が存在していると、使用者が下腿等を左右に動かした際に脚部に接触する頻度が多くなるので、使用者に窮屈な印象を与える虞がある。
【０００９】
前記脚部は、前記ベースの後端から前記張出部の先端部に向かって立ち上がる支柱と、前記支柱の上端から前記張出部の基端部に向かうアームとを備えるものであってもよい。
このようにすると、天板の安定性を維持しながらも、使用者の下腿等が脚部に接触する頻度を少なくすることができる。
【００１０】
前記各支持部材は、前記天板本体の下面に沿う横桟部を備えるものであってもよい。このようにすると、天板の安定性を高めることができる。
【発明の効果】
【００１１】
本発明によれば、天板の幅寸法が小さい場合であっても使用者に窮屈な印象を与え難くなる。
【図面の簡単な説明】
【００１２】
【図１】本発明の実施形態に係る机の使用状態を示す斜視図である。
【図２】本発明の実施形態に係る机を示す斜視図である。
【図３】天板を取り外した状態を示す斜視図である。
【図４】天板の平面図である。
【図５】本発明の実施形態に係る机の側面図である。
【発明を実施するための形態】
【００１３】
本発明の実施形態に係る机は、図１に示すように、バーチャルリアリティの体験者（以下「使用者Ｕ」という。）が使用するものである。図２および図３にも示すように、本実施形態の机は、天板１と、左右一対の支持部材２，２と、固定部材３（図３参照）とを備えている。
なお、本実施形態では、バーチャルリアリティ体験用の机を例示するが、本発明に係る机の用途を限定する趣旨ではない。
【００１４】
天板１は、図４にも示すように、天板本体１ａと、左右一対の張出部１ｂ，１ｂとを備えている。図４中の二点鎖線は、天板本体１ａと張出部１ｂとの境界を示す仮想線である。
本実施形態の天板１は、平面視Ｕ字状の平板からなる。天板本体１ａおよび張出部１ｂ，１ｂは、一体成形されている。
天板１の最大幅寸法は、天板１の最大奥行き寸法（前後方向の寸法）よりも小さくなっているが、天板１の寸法・形状は適宜変更しても差し支えない。
また、天板１の材質に制限はなく、木材、金属、樹脂などの中から適宜選択すればよい。
【００１５】
天板本体１ａは、図１に示すように、使用者Ｕの胴部の前側に位置する部位である。天板本体１ａの前部は、半円形に成形されている。
天板本体１ａの奥行き寸法（前後方向の長さ寸法）に制限はないが、バーチャルリアリティ体験用としては、４０〜６０ｃｍ程度が好適である。天板本体１ａの幅寸法（左右方向の長さ寸法）にも制限はないが、バーチャルリアリティ体験用としては、天板本体１ａの奥行き寸法の１．５倍程度（６０〜９０ｃｍ）程度が好適である。
【００１６】
張出部１ｂは、使用者Ｕの胴部の側方に位置する部位であり、天板本体１ａから後方に向かって張り出している。一対の張出部１ｂ，１ｂは、使用者Ｕの肩幅程度の間隔（例えば４５〜７０ｃｍ程度）をあけて並設されている。張出部１ｂの長さ寸法（前後方向の長さ寸法）は、使用者Ｕの胴部の厚さよりも大きな値（例えば４０〜６０ｃｍ程度）に設定されている。
図４に示すように、各張出部１ｂの内縁は、弧状を呈していて、両張出部１ｂ，１ｂの内縁を連ねた形状は、Ｕ字状（Ｃ字状）を呈している。各張出部１ｂの外縁は、直線状を呈している。張出部１ｂの幅寸法は、張出部１ｂの基端部から中央部に向かうにしたがって漸減し、中央部から先端部に向かうにしたがって漸増している。張出部１ｂの幅寸法の大きさに制限はないが、使用者Ｕが肘を載置できる程度の幅寸法に設定することが好ましい。
【００１７】
支持部材２は、図５に示すように、ベース２ａと、ベース２ａに立設された一本の脚部２ｂと、天板本体１ａの下面に沿う横桟部２ｃと、脚部２ｂに取り付けられた補強部２ｄとを備えている。本実施形態の脚部２ｂと横桟部２ｃは、曲げ加工を施した一本の棒状部材からなる。棒状部材（脚部２ｂおよび横桟部２ｃ）の材質や形態に制限はないが、本実施形態のものは、金属製（鋼製、ステンレス鋼製、アルミニウム合金製）の中空部材である。
【００１８】
ベース２ａは、床面等に載置される部位であり、図３に示すように、前後方向に延在している。本実施形態のベース２ａは、帯状の金属製板材からなる。左右のベース２ａ，２ａは、平行に配置されている。
【００１９】
脚部２ｂは、図５に示すように、張出部１ｂの下側のみに配置されている。脚部２ｂの下端部は、ベース２ａに接合されている。
脚部２ｂは、支柱２１と、アーム２２とを備えている。支柱２１は、ベース２ａの後端から張出部１ｂの先端部（後端部）に向かって立ち上がる部位である。アーム２２は、支柱２１の上端から張出部１ｂの基端部に向かう部位である。本実施形態のアーム２２は、湾曲している。アーム２２の下部は、支柱２１の上端から前側斜め上方に延出し、アーム２２の上部は、張出部１ｂの下面に沿って前方に延出している。
【００２０】
横桟部２ｃは、天板本体１ａの下側に配置されている。横桟部２ｃは、脚部２ｂの前端（アーム２２の先端）から天板本体１ａの下面に沿って前方に延出している。
【００２１】
補強部２ｄは、脚部２ｂを支持するものであり、ベース２ａと脚部２ｂとの交差部分に配置されている。補強部２ｄは、ベース２ａに立設されるとともに、脚部２ｂ（支柱２１）に当接している。補強部２ｄの下縁は、ベース２ａの上面に接合されており、補強部２ｄの後縁は、支柱２１の前面に接合されている。補強部２ｄの形態に制限はないが、本実施形態の補強部２ｄは、上縁が弧状に成形された略三角形状の金属製板状部材からなる。なお、補強部２ｄは、その大部分が張出部１ｂの下方に位置している。補強部２ｄのうち、天板本体１ａの下方に位置する部分の高さは、ベース２ａの厚さ以下である。
【００２２】
固定部材３は、天板１と支持部材２との間に介設されている。本実施形態の固定部材３は、天板１に沿う横板部３ａと、横板部３ａから脚部２ｂに至る縦板部３ｂとを備えている。固定部材３は、折り曲げ加工が施された金属製板材からなり、横板部３ａと縦板部３ｂとは一体に成形されている。
【００２３】
横板部３ａは、天板１の取付座となる部位であり、天板１の下面に当接している。横板部３ａの前部は、天板本体１ａに接合されており、横板部３ａの後部は、張出部１ｂに接合されている。
横板部３ａは、図３に示すように、脚部２ｂのアーム２２および横桟部２ｃよりも幅広の帯状板材からなり、アーム２２および横桟部２ｃの左右両側に張り出している。本実施形態の横板部３ａは、金属製であり、アーム２２の直線部分の上面および横桟部２ｃの上面に溶接により接合されている。なお、横板部３ａの後部は、アーム２２の曲線部分から離間している。
横板部３ａには、複数の貫通孔３１，３１，…が形成されている。貫通孔３１は、脚部２ｂを挟んで両側に配置されているとともに、横桟部２ｃを挟んで両側に配置されている。貫通孔３１には、天板１を固定部材３に固定するためのボルト（図視略）が挿入される。このボルトは、横板部３ａの下側から貫通孔３１に挿通され、天板１の下面に形成された雌ネジ孔（図示略）に螺合される。
【００２４】
縦板部３ｂは、図５に示すように、横板部３ａの後部を支える部位であり、脚部２ｂ（アーム２２）と横板部３ａの後部との間に介設されている。縦板部３ｂは、逆台形状を呈しており、縦板部３ｂの下端部は、溶接により脚部２ｂに接合されている。
【００２５】
図１に示すように、使用者Ｕ（本実施形態ではバーチャルリアリティの体験者）は、適宜な椅子に着座し、張出部１ｂ，１ｂの間に胴体を位置させた状態で机に向かう。
【００２６】
ところで、バーチャルリアリティの体験者は、仮想空間の出来事に応じて身体を動かす場合があり、あるいは、方向感覚を失う場合がある。したがって、椅子等に座っただけの状態でバーチャルリアリティを体験すると、身体が大きくふらつくなど、姿勢が安定しない虞がある。
しかしながら、使用者Ｕが本実施形態の机に向かいつつ着座すれば、使用者Ｕを囲むように天板１が位置するので、仮想空間への没入体験中に使用者Ｕがふらついたとしても、使用者Ｕの姿勢をサポートすることができる。
また、仮想空間上の出来事に反応して使用者Ｕが姿勢を崩した際に、使用者Ｕの胴部や腕などが左右の張出部１ｂ，１ｂに触れるようになる。姿勢を崩した使用者Ｕは、胴部や腕などが天板１に触れたことを拠り所にして、自らの姿勢の崩れを認識することができる。
【００２７】
また、使用者Ｕが張出部１ｂ，１ｂの間に自身の胴体を位置させると、通常は、使用者Ｕの下腿や足が天板本体１ａの下方に位置することになる。ところが、本実施形態の机では、張出部１ｂの下方のみに脚部２ｂが存在していて、天板本体１ａの下側には脚部が存在していないので、使用者Ｕは、脚部の存在を気にせずに下腿等を左右に動かすことができる。つまり、本実施形態の机によれば、その幅寸法が小さい場合であっても、使用者Ｕに窮屈な印象を与え難い。
特に、本実施形態では、脚部２ｂの立上り部分（支柱２１）が張出部１ｂの先端部（後端部）の下方に位置しているので、使用者Ｕが椅子に着座すると、椅子の後部付近に支柱２１が位置することになる。支柱２１が椅子の後部付近に位置した状態であれば、使用者Ｕが下腿等を大きく左右に動かしても、脚部２ｂに接触する可能性は小さい。なお、天板本体１ａの下側に脚部が存在していると、使用者が下腿等を左右に動かした際に脚部に接触する頻度が多くなるので、使用者に窮屈な印象を与える虞がある。
【００２８】
なお、図５に示すように、支柱２１が天板１の後端部の下方に位置しているものの、アーム２２が張出部１ｂの基端部（天板１の中央部）を支持し、横桟部２ｃが天板本体１ａ（天板１の前部）を支持しているので、天板１の安定性は高い。
【００２９】
本実施形態の机の構成は、適宜変更してもよい。
例えば、本実施形態では、天板１と支持部材２との間に固定部材３を介設した場合を例示したが、固定部材３を省略し、天板１を支持部材２に直接固定してもよい。
また、本実施形態では、脚部２ｂとして、直線状の支柱２１と弧状のアーム２２とを具備したものを例示したが、脚部２ｂの形態は適宜変更してもよい。例えば、図示は省略するが、ベース２ａから張出部１ｂに至る支柱と、支柱の上端から前方に向かって水平に張り出すアームとを備えた逆Ｌ字状の脚部でもよい。また、支柱と、支柱の上端から前後に向かって張り出すアームとを備えたＹ字状またはＴ字状の脚部でもよい。
【００３０】
また、図示は省略するが、使用者Ｕの動きを検知するセンサを天板１に埋め込んでもよい。このようにすれば、使用者Ｕの動きを仮想空間上に反映することができる。
【符号の説明】
【００３１】
１      天板
１ａ    天板本体
１ｂ，１ｂ  張出部
２      支持部材
２ａ    ベース
２ｂ    脚部
２１    支柱
２２    アーム
２ｃ    横桟部
２ｄ    補強部
３      固定部材
【図１】
2017225703.tif 000003
【図２】
2017225703.tif 000004
【図３】
2017225703.tif 000005
【図４】
2017225703.tif 000006
【図５】
2017225703.tif 000007